(57)【要約】【課題】音と香りによる感覚刺激によって相対音感、絶対音感、調性感等の音感を訓練によって会得可能とした新規な音感訓練方法及び音感訓練装置を提供する。【解決手段】音源部３から出力される音と、香り発生部４から出力される様々な香り要素の香りとを組み合わせ、これにより上記音の属性を人に認識させることによって、人の音感訓練を促進する音感訓練方法及びこれを実現可能とした音感訓練装置であって、上記香り要素は、上記音の属性と１対１に対応しており、上記音源部による出力と連動して上記香り発生部より上記香り要素の香りを出力することを特徴とする。【選択図】図１
2008040218.tif 000002
【特許請求の範囲】
【請求項１】
音源部から出力される音と、香り発生部から出力される様々な香り要素の香りとを組み合わせ、これにより上記音の属性を人に認識させることによって、人の音感訓練を促進する音感訓練方法であって、
上記香り要素は、上記音の属性と１対１に対応しており、上記音源部による出力と連動して上記香り発生部より上記香り要素の香りを出力することを特徴とした音感訓練方法。
【請求項２】
音源部から出力される音と、香り発生部から出力される様々な香り要素の香りとを組み合わせ、これにより上記音の属性を人に認識させることによって、人の音感訓練を促進する音感訓練装置であって、
該音感訓練装置は、上記音の属性と、上記香り要素とを、１対１に対応付けて予め記憶したテーブルと、所定の音感訓練プログラムとを少なくとも備えており、
上記音感訓練プログラムを実行することで、上記テーブルを所定の手順で読み出して、上記音源部より音を出力するとともに、その音の属性に対応する香り要素の香りを上記香り発生部より出力するよう構成されていることを特徴とする音感訓練装置。
【請求項３】
音源部から出力される音と、香り発生部から出力される様々な香り要素の香りとを組み合わせ、これにより上記音の属性を人に認識させることによって、人の音感訓練を促進する音感訓練装置であって、
該音感訓練装置は、上記音の属性に対応した信号を入力する信号入力手段と、該信号入力手段によって入力される信号と上記音の属性及び上記香り要素とを対応付けて予め記憶したテーブルと、所定の音感訓練プログラムとを少なくとも備えており、
上記信号入力手段によって、信号が入力され、上記音感訓練プログラムを実行することにより、上記テーブルを参照し、該信号に対応する上記音の属性を読み出して、上記音源部より音を出力するとともに、その音の属性に対応する香り要素の香りを上記香り発生部より出力するよう構成されていることを特徴とする音感訓練装置。
【請求項４】
香り発生部から出力される様々な香り要素の香りを音の属性に基づいて人に認識させることによって、人の音感訓練を促進する音感訓練装置であって、
該音感訓練装置は、入力された音情報を分析し、その音情報の属性を検出する音検出手段と、該音検出手段によって検出される信号と上記音の属性及び上記香り要素とを対応付けて予め記憶したテーブルと、所定の音感訓練プログラムとを少なくとも備えており、
上記音検出手段によって検出した結果に基づいて、上記音感訓練プログラムを実行することにより、上記テーブルを参照し、検出した音の属性に対応する香り要素の香りを上記香り発生部より出力するよう構成されていることを特徴とする音感訓練装置。
【請求項５】
請求項２乃至４のいずれか１項において、
音と香り以外の他の感覚刺激出力手段を更に備えていることを特徴とする音感訓練装置。
【発明の詳細な説明】
【技術分野】
【０００１】
本発明は、相対音感、絶対音感、調性感等の音感を訓練する新規な音感訓練方法及び音感訓練装置に関する。
【背景技術】
【０００２】
音楽等により聴覚を刺激したり、映像等により視覚を刺激したり、香水等によって嗅覚を刺激したりすることは、日常生活において、一般的に行われているが、従来より、視覚、聴覚、嗅覚等の複数の感覚刺激を同時に受けることにより、人の訓練能力・記憶能力・学習能力が高まることがわかっている。例えば、視覚（映像）と聴覚（音楽、効果音等）を同時に刺激するテレビや映画等においては、ドラマの主題歌や映画音楽を聴くと、そのドラマや映画の名称や特定のシーンが容易に連想されることがある。これは聴覚刺激と視覚刺激とが連携して記憶されている一例といえる。
【０００３】
楽器の演奏練習においては、楽譜に記載された音符を知覚させるために、各鍵に対応する位置にＬＥＤを設け、押鍵すべき鍵に対応するＬＥＤを点灯させ、演奏練習のナビゲーション機能を備えた電子楽器が知られている。
このような電子楽器として、下記特許文献１及び下記特許文献２が挙げられる。
下記特許文献１及び下記特許文献２には、予め記憶されている曲データの進行に基づいて、次に操作すべき鍵盤に対応するＬＥＤを発光させることにより教示するものが記載されている。
これによれば、初心者であってもＬＥＤが点灯している鍵を押鍵していけば、容易に演奏することができ、ＬＥＤの点灯に誘導されて演奏練習を繰り返すことにより、次第に楽器演奏の指運びを覚えることができる。
【特許文献１】特開平１１−１２６０７０号公報
【特許文献２】特開平１１−１２６０７２号公報
【発明の開示】
【発明が解決しようとする課題】
【０００４】
ところで、近年、上記のような視覚的効果からの演奏練習だけでなく、聴覚、嗅覚、触覚、味覚を刺激したり、皮膚感覚及び深部感覚等の体性感覚の感覚機能を刺激することにより、脳に刺激を与え、効率的且つ効果的に能力開発を行う方法及び装置の開発がなされている。
上述したドラマや映画等のように情報量が非常に多い感覚刺激を複数受けると、連想される内容にばらつきがあること、また個人の経験・体験に左右され、記憶状態に個人差がでることがわかっている。そこで、ひとつの事象に対して情報量の多い感覚刺激を複数与えるのではなく、ひとつの事象に対して、できるだけ単純な感覚刺激を複数且つ連携して与えることにより、より一層効率的に能力開発を行う研究が進んできた。特にこのような方法を用いて、音感を養う訓練できる方法及び装置の開発が望まれている。
【０００５】
本発明は、上記実情に鑑みなされたものであり、音と香りによる感覚刺激によって、音感を訓練により会得可能とした新規な音感訓練方法及び音感訓練装置を提供することを目的としている。
【課題を解決するための手段】
【０００６】
請求項１の発明に係る音感訓練方法は、音源部から出力される音と、香り発生部から出力される様々な香り要素の香りとを組み合わせ、これにより上記音の属性を人に認識させることによって、人の音感訓練を促進する方法であって、上記香り要素は、上記音の属性と１対１に対応しており、上記音源部による出力と連動して上記香り発生部より上記香り要素の香りを出力することを特徴とする。
ここでいう音には、単音や和音を含み、音の属性には、音名、階名、音階感等を含む。また音感は、絶対音感、相対音感、調性感等を含むものである。更にこの音感訓練方法及び下記音感訓練装置は、音感を会得するための学習のために用いられる他、脳の衰えを防ぎ活性化させるためのリハビリ等に用いることも可能である。
【０００７】
請求項２の発明に係る音感訓練装置は、音源部から出力される音と、香り発生部から出力される様々な香り要素の香りとを組み合わせ、これにより上記音の属性を人に認識させることによって、人の音感訓練を促進するものであって、該音感訓練装置は、上記音の属性と、上記香り要素とを、１対１に対応付けて予め記憶したテーブルと、所定の音感訓練プログラムとを少なくとも備えており、上記音感訓練プログラムを実行することで、上記テーブルを所定の手順で読み出して、上記音源部より音を出力するとともに、その音の属性に対応する香り要素の香りを上記香り発生部より出力するよう構成されていることを特徴とする。
【０００８】
請求項３の発明に係る音感訓練装置は、音源部から出力される音と、香り発生部から出力される様々な香り要素の香りとを組み合わせ、これにより上記音の属性を人に認識させることによって、人の音感訓練を促進するものであって、該音感訓練装置は、上記音の属性に対応した信号を入力する信号入力手段と、該信号入力手段によって入力される信号と上記音の属性及び上記香り要素とを対応付けて予め記憶したテーブルと、所定の音感訓練プログラムとを少なくとも備えており、上記信号入力手段によって、信号が入力され、上記音感訓練プログラムを実行することにより、上記テーブルを参照し、該信号に対応する上記音の属性を読み出して、上記音源部より音を出力するとともに、その音の属性に対応する香り要素の香りを上記香り発生部より出力するよう構成されていることを特徴とする。
信号入力手段としては、ピアノ等の鍵盤による押鍵入力、釦操作、マウス操作等がある。
【０００９】
請求項４の発明に係る音感訓練装置は、香り発生部から出力される様々な香り要素の香りを音の属性に基づいて人に認識させることによって、人の音感訓練を促進するものであって、該音感訓練装置は、入力された音情報を分析し、その音情報の属性を検出する音検出手段と、該音検出手段によって検出される信号と上記音の属性及び上記香り要素とを対応付けて予め記憶したテーブルと、所定の音感訓練プログラムとを少なくとも備えており、上記音検出手段によって検出した結果に基づいて、上記音感訓練プログラムを実行することにより、上記テーブルを参照し、検出した音の属性に対応する香り要素の香りを上記香り発生部より出力するよう構成されていることを特徴とする。
ここで入力される音情報には、ピアノ等の発音やマイクからの音声等がある。
【００１０】
請求項５の発明に係る音感訓練装置は、請求項２乃至４のいずれか１項において、音と香り以外の他の刺激出力手段を更に備えていることを特徴とする。
他の刺激出力手段としては、視覚刺激、体性感覚等を刺激する出力手段がある。
【発明の効果】
【００１１】
請求項１に記載の音感訓練方法によれば、音の属性は、香り要素と１対１に対応しており、音源部による出力と連動して香り発生部の出力がなされるので、ある音について、聴覚刺激と嗅覚刺激の２つの感覚刺激を受けることにより、音感を養うことができ、この音感訓練方法を繰り返すことによって、教示者（ピアノの先生等）がいなくても音感が学べ、複数の感覚刺激により集中力を高めることができ、単に聴覚だけで音感訓練を行う場合とは異なる効果を得ることができる。
【００１２】
請求項２に記載の音感訓練装置によれば、所定の音感訓練プログラムに基づいて、聴覚刺激と嗅覚刺激の２つの感覚刺激を受けることにより、音感を養うことができ、当該装置で繰り返し訓練することによって、教示者（ピアノの先生等）がいなくても音感が学べ、複数の感覚刺激により集中力を高めることができ、単に聴覚だけで音感訓練を行う場合とは異なる効果を得ることができる。
また所定の音感訓練プログラムによって音感訓練を進めることができるので、効率的に音感を会得することができる。
【００１３】
請求項３に記載の音感訓練装置によれば、信号入力手段によって、入力された信号に基づいて、聴覚刺激と嗅覚刺激の２つの感覚刺激を受けることにより、音感を養うことができ、当該装置で繰り返し訓練することによって、教示者（ピアノの先生等）がいなくても音感が学べ、複数の感覚刺激により集中力を高めることができ、単に聴覚だけで音感訓練を行う場合とは異なる効果を得ることができる。
また信号入力手段によって信号が入力されると、テーブルから該信号に対応する音の属性を読み出して、音源部より音を出力するとともに、その音の属性に対応する香り要素の香りが上記香り発生部より出力されるので、訓練したい任意の音の音感訓練をすることができ、より効率的に訓練を行うことができる。
【００１４】
請求項４に記載の音感訓練装置によれば、入力された音情報を分析し、その音情報の属性を検出する音検出手段によって検出された結果に基づいて、聴覚刺激と嗅覚刺激の２つの感覚刺激を受けることにより、音感を養うことができ、当該装置で繰り返し訓練することによって、教示者（ピアノの先生等）がいなくても音感が学べ、複数の感覚刺激により集中力を高めることができ、単に聴覚だけで音感訓練を行う場合とは異なる効果を得ることができる。
また音検出手段が検出した結果に基づいて、テーブルを参照して、検出した音の属性に対応する香り要素の香りを香り発生部より出力させることができるので、様々な音を基に音感訓練をすることができる。
【００１５】
請求項５に記載の音感訓練装置によれば、音と香り以外の他の刺激出力手段を更に備えているので、複数の感覚刺激を受け、一層効果的に音感訓練をすることができる。
【発明を実施するための最良の形態】
【００１６】
以下に本発明の最良の実施の形態について、図面に基づいて説明する。
図１は本発明の音感訓練装置（第１の実施形態）の要部構成を示すブロック図、図２は第１の実施形態の基本動作を示すフローチャート、図３は第１の実施形態におけるテーブルの構成の一例を示す図、図４は本発明の音の属性と香り要素の対応関係を示した図、図５は本発明の音感訓練装置の別の実施形態（第２の実施形態）の要部構成を示すブロック図、図６は第２の実施形態の基本動作を示すフローチャート、図７は第２の実施形態におけるテーブルの構成の一例を示す図、図８は更に別の実施形態（第３の実施形態）の要部構成を示すブロック図、図９は第３の実施形態の基本動作を示すフローチャート、図１０は第３の実施形態におけるテーブルの構成の一例を示す図、図１１は第３の実施形態の音の属性と香り要素の対応関係を示した図である。
【００１７】
まず第１の実施形態について、図１〜図４を参照して以下説明する。
図１に示すように、音感訓練装置Ａは、少なくとも制御手段１０、記憶手段１１を備えたＭＰＵ１と、各種操作キーを有した操作手段２と、第１の刺激として聴覚刺激を与える音源部３と、第２の刺激として嗅覚刺激を与える香り発生部４とを備えており、記憶手段１１には、所定の音感訓練プログラム１１ａと、音の属性と、香り要素とを、１対１に対応付けて予め記憶したテーブル１１ｂとが記憶されている。香り発生部４の構成は香料等を組み合わせて果物の香り等を発生できるものであればよく、例えば圧電素子による気体拡散デバイスを用いて香料成分を噴霧するもの等が挙げられる。
ここでいう音には、単音や和音を含み、音の属性には、音名、階名、音階感等を含む。また音感は、絶対音感、相対音感、調性感等を含むものである。
制御手段１０は、操作手段２の操作により音感訓練刺激プログラム１１ａの実行が選択されると、記憶手段１１より感覚刺激プログラム１１ａを読み出して実行させ、テーブル１１ｂを所定の手順で読み出して、音源部３より音を出力するとともに、その音の属性に対応する香り要素の香りを香り発生部４より出力するよう制御を行う。
【００１８】
この音感訓練装置Ａを用いて行われる音感訓練方法は、音の属性は、香り要素と１対１に対応しており、音源部３による出力と連動して香り発生部４の出力がなされるので、ある音について、聴覚刺激と嗅覚刺激の２つの感覚刺激を受けることにより、音感を養うことができ、この音感訓練装置Ａを用いて訓練を繰り返すことによって、教示者（ピアノの先生等）がいなくても音感が学べ、複数の感覚刺激により集中力を高めることができ、単に聴覚だけで音感訓練を行う場合とは異なる効果を得ることができる。
尚、音感訓練装置Ａを用いて行われる音感訓練方法によって、訓練可能な音感としては、絶対音感、相対音感、調性感（音階感）等がある。
【００１９】
図２は、音感訓練装置の基本動作を説明するためのフローチャートである（１００〜１０５）。
音感訓練装置Ａでは、操作手段２の操作によって、音感訓練プログラム１１ａの実行が選択されると、制御手段１０は、音感訓練プログラム１１ａを実行させて、テーブル１１ｂを参照し、プログラムされている所定の順序で第１，第２の刺激の組み合わせを読み取って、第１の刺激として音を出力するとともに、第２の刺激として、これに対応する香り要素の香りを出力する。
音感訓練プログラム１１ａの構成は、上記の例に限定されず、絶対音感を訓練するプログラム、相対音感を訓練するプログラム、調性感を訓練するプログラム等をプログラムし、各音感訓練毎に訓練者のレベルに応じて選択できるものとすることもできる。
【００２０】
図３は、音感訓練装置のテーブルの構成の一例を示したものである。
図のように、音感訓練プログラム１１ａによって、音源部３より「ドミソの和音」を出力するときには、香り発生部４より「イチゴ」の香りを出力するよう構成されている。即ち、「ドミソの和音」を出力するときには、「イチゴ」の香りを出力するといったように、音の属性は、香り要素と１対１に対応してプログラムされている。
尚、テーブルの構成は図のものに限定されず、音源部３より出力する音も和音に限らず、単音であってもよいことは言うまでもない。また香り要素は図３の例のように果物の香りに限定されず、バラやキンモクセイ等、花の香りやヒノキやマツ等木の香り等としてもよい。
【００２１】
図４は、本発明の音の属性と香り要素の対応関係を示した図である。
このように、音の属性とこれに対応して香り発生部より出力される香り要素が１対１の関係に対応付けられている。
香り要素としては、上述の「ドミソの和音」のときは「イチゴ」とする他、「ドファラの和音」のときは「メロン」、「シレソの和音」のときは「ブドウ」といったように、音と香りとが１対１に対応され、訓練者は聴覚刺激と嗅覚刺激の２つの感覚刺激を同時に連携された状態で受けるように構成される。
これによれば、２種類の単純な感覚刺激を受けることができるので、効果的に音感訓練を行うことができる。
尚、音の属性と香り要素の対応関係は図例のものに限定されるものではないことは言うまでもない。
【００２２】
ここでは図示していないが、音と香り以外の他の刺激出力手段を更に備えたものとしてもよい。他の刺激出力手段としては、視覚刺激、体性感覚等を刺激するものがある。
例えば、第３の刺激として視覚刺激を与えるものを更に備えたものの場合は、音源部３、香り発生部４を備えるとともに、発光体等で構成される光源部を備え、「ドミソ」の和音とイチゴの香りが出力されるとともに、光源部より「赤」色の発光体を出力する。
この場合、テーブル１１ｂには、音の属性及び香り要素とが１対１に対応して記憶されるとともに、これらに対応して光源部による発光パターン（ドミソのときは「赤」、ドファラのときは「緑」、シレソのときは「青」等）も記憶される。
【００２３】
操作手段２の操作によって、音感訓練プログラム１１ａの実行が選択されると、制御手段１０は、音感訓練プログラム１１ａを実行させて、テーブル１１ｂを参照し、プログラムされている所定の順序で第１、第２、第３の刺激の組み合わせを読み取って、第１の刺激として音を出力するとともに、第２の刺激として、これに対応する香り要素の香りを出力し、第３の刺激として、これに対応する発光パターンの光を光源部より出力する。
このように第３の刺激として視覚刺激、体性感覚等を刺激する出力手段を備えたものとすれば、複数の感覚刺激を受けることにより、一層効果的に音感訓練をすることができる。
【００２４】
次に第２の実施形態について、図５〜図７を参照して以下説明する。尚、上記第１の実施形態と共通する部分は同一の符号を付し、その説明を割愛する。
図５に示すように、音感訓練装置Ｂは、少なくとも制御手段１０、記憶手段１１を備えたＭＰＵ１と、各種操作キーを有した操作手段２と、第１の刺激として聴覚刺激を与える音源部３と、第２の刺激として嗅覚刺激を与える香り発生部４とを備えており、第２の実施形態では、更に音の属性に対応した信号を入力する信号入力手段５を備えている。
信号入力手段５としては、ピアノ等の鍵盤による押鍵入力、釦操作、マウス操作等により入力することができる。ここでは、電子ピアノ等の鍵盤と接続し、押鍵操作により入力可能なものについて説明する。
記憶手段１１には、所定の音感訓練プログラム１１ａと、入力信号に対応し、且つ音の属性と、香り要素とを、１対１に対応付けて予め記憶したテーブル１１ｃとが記憶される。
【００２５】
制御手段１０は、操作手段２の操作により音感訓練プログラム１１ａの実行が選択されると、記憶手段１１より音感訓練プログラム１１ａを読み出して実行させ、信号入力手段５である鍵盤を押鍵すると、ここから入力された入力信号を基にテーブル１１ｃを所定の手順で読み出して、音源部３より音を出力するとともに、その音の属性に対応する香り要素の香りを香り発生部４より出力するよう制御を行う。
【００２６】
これによれば、鍵盤の押鍵操作（信号入力手段５）によって信号が入力されると、テーブル１１ｃから該信号に対応する音の属性を読み出して、音源部３より音を出力するとともに、その音の属性に対応する香り要素の香りが上記香り発生部４より出力されるので、訓練したい任意の音の音感訓練をすることでき、より効率的に行うことができる。
【００２７】
図６は、音感訓練装置の基本動作を説明するためのフローチャートである（２００〜２０６）。
音感訓練装置Ｂでは、操作手段２の操作によって、音感訓練プログラム１１ａの実行が選択されると、制御手段１０は、音感訓練プログラム１１ａを実行させて、信号入力手段５から入力された入力信号を基にテーブル１１ｃを参照し、プログラムされている所定の順序で入力信号に対応する第１，第２の刺激の組み合わせを読み取って、第１の刺激として音を出力するとともに、第２の刺激として、これに対応する香り要素の香りを出力する。
【００２８】
図７は、音感訓練装置のテーブルの構成の一例を示したものである。
図のように、鍵盤の押鍵操作によって、「ドミソ」が入力されると、音源部３より「ドミソの和音」を出力されるとともに、香り発生部４より「イチゴ」の香りを出力するよう構成されている。即ち、信号入力手段５からの入力信号を基に、「ドミソの和音」を出力するときには、「イチゴ」の香りを出力するといったように、音の属性は、香り要素と１対１に対応してプログラムされている。
尚、テーブルの構成は図のものに限定されず、音源部３より出力する音も和音に限らず、単音であってもよいことは言うまでもない。
【００２９】
第２の実施形態における音の属性と香り要素の対応関係（図４参照）は、第１の実施形態と同様の構成を適用可能であるので、ここでは説明を割愛する。
また第２の実施形態においても図示していないが、音と香り以外の他の刺激出力手段を更に備えたものとしてもよい点も第１の実施形態と同様である。
例えば、第３の刺激として視覚刺激を与えるものを更に備えた場合は、音源部３、香り発生部４を備えるとともに、発光体等で構成される光源部を備え、「ドミソ」の和音とイチゴの香りが出力されるとともに、光源部より「赤」色の発光パターンを出力する。
この場合、記憶手段１１には、所定の音感訓練プログラム１１ａと、入力信号に対応し、且つ音の属性及び香り要素とが１対１に対応して記憶されるとともに、更にこれらに対応して光源部による発光パターン（ドミソのときは「赤」、ドファラのときは「緑」、シレソのときは「青」等）も記憶される。
【００３０】
操作手段２の操作によって、音感訓練プログラム１１ａの実行が選択されると、制御手段１０は、操作手段２の操作により音感訓練プログラム１１ａの実行が選択されると、記憶手段１１より音感訓練プログラム１１ａを読み出して実行させ、信号入力手段５である鍵盤を押鍵すると、ここから入力された入力信号を基にテーブル１１ｃを所定の手順で読み出して、第１の刺激として音を出力するとともに、第２の刺激として、これに対応する香り要素の香りを出力し、第３の刺激として、これに対応する発光パターンを出力する。
このように第３の刺激として視覚刺激、体性感覚等を刺激する出力手段を備えたものとすれば、複数の感覚刺激を受けることにより、一層効果的に音感訓練をすることができる。
【００３１】
次に第３の実施形態について、図８〜図１０を参照して以下説明する。尚、上記第１の実施形態と共通する部分は同一の符号を付し、その説明を割愛する。
図８に示すように、音感訓練装置Ｃは、少なくとも制御手段１０、記憶手段１１を備えたＭＰＵ１と、各種操作キーを有した操作手段２と、嗅覚刺激を与える香り発生部４とを備えており、第３の実施形態では、更にピアノ等楽器からの発音やマイクからの音声等を入力可能な音入力手段６と音入力手段６から入力された音情報を分析し、その音情報の属性を検出する音検出手段７とを備えている。
【００３２】
音検出手段７は、バンドパスフィルタ７ａ（７１、７２、７３・・・７Ｎ）とＡ／Ｄ変換手段７ｂとにより構成されており、複数のフィルタ（７１、７２、７３・・・７Ｎ）で構成されるバンドパスフィルタ７ａはそれぞれ音階の帯域に対応しており、音入力手段より入力された発音等は、これらフィルタ（７１、７２、７３・・・７Ｎ）を介することにより各周波数成分を抽出し、Ａ／Ｄ変換手段７ｂによって音情報を周波数成分毎に検出後、これを検出音情報として音検出手段７から制御手段１０へと送出する。ここでバンドパスフィルタの構成は、例えば音の高低を判別する相対音感を訓練する場合は、音階の帯域ではなく、低音域、中音域、高音域等として周波数帯域を設定し構成するものとしてもよい。
尚、音検出手段７の構成はバンドパスフィルタ７ａとＡ／Ｄ変換手段７ｂとにより構成されたものに限定されず、音入力手段６より入力された音情報を検出できるものであればよい。
記憶手段１１には、所定の音感訓練プログラム１１ａと、音検出手段７によって検出された検出音情報と香り要素とを、１対１に対応付けて予め記憶したテーブル１１ｄとが記憶されている。
【００３３】
制御手段１０は、操作手段２の操作により音感訓練プログラム１１ａの実行が選択されると、記憶手段１１より音感訓練プログラム１１ａを読み出して実行させ、音入力がされると、音検出手段７によって音情報を検出し、これを基にテーブル１１ｄを所定の手順で読み出して、検出音情報に対応する香り要素の香りを香り発生部４より出力するよう制御を行う。
【００３４】
これによれば、音検出手段７が検出した結果に基づいて、テーブル１１ｄを参照して、検出した音の属性に対応する香り要素の香りを香り発生部４より出力させることができるので、様々な音を基に音感訓練をすることができる。
【００３５】
図９は、音感訓練装置の基本動作を説明するためのフローチャートである（３００〜３０７）。
音感訓練装置Ｃでは、操作手段２の操作によって、音感訓練プログラム１１ａの実行が選択されると、制御手段１０は、音感訓練プログラム１１ａを実行させ、音入力手段６から音が入力されると音検出手段７によって音情報の検出がなされ、これを基にテーブル１１ｄを参照し、プログラムされている所定の順序で検出音情報に対応する香り要素の香りを出力する。
【００３６】
図１０は、音感訓練装置のテーブルの構成の一例を示したものである。
図のように、音検出手段７によって、「ドミソの和音」が検出されると、香り発生部４より「イチゴ」の香りを出力するよう構成されている。即ち、音検出手段７からの検出音情報を基に、「ドミソの和音」を出力するときには、「イチゴ」の香りを出力するといったように、検出音情報は、香り要素と１対１に対応してプログラムされている。
尚、テーブルの構成は図のものに限定されるものではない。
【００３７】
図１１は、本発明の検出音情報と香り要素の対応関係を示した図である。
このように、入力される音情報、検出された検出音情報、そして検出音情報に対応して香り発生部４より出力される香り要素が１対１の関係に対応付けられている。
香り要素としては、上述の「ドミソの和音」のときは「イチゴ」とする他、「ドファラの和音」のときは「メロン」、「シレソの和音」のときは「ブドウ」といったように、音と香りとが１対１に対応され、訓練者は聴覚刺激と嗅覚刺激の２つの感覚刺激を同時に連携された状態で受けるように構成される。
これによれば、２種類の単純な感覚刺激を受けることができるので、効果的に音感訓練を行うことができる。
尚、音の属性と香り要素の対応関係は図例のものに限定されるものではないことは言うまでもない。
【００３８】
また第３の実施形態においても図示していないが、音と香り以外の他の刺激出力手段を更に備えたものとしてもよい点は第１、第２の実施形態と同様である。
例えば、視覚刺激を与えるものを更に備えた場合は、香り発生部４を備えるとともに、発光体等で構成された光源部を備え、「ドミソ」の和音とイチゴの香りが出力されるとともに、光源部より「赤」色の発光パターンを出力する。
この場合、記憶手段１１には、所定の音感訓練プログラム１１ａと、入力信号に対応し、且つ音の属性及び香り要素とが１対１に対応して記憶されるとともに、更にこれらに対応して光源部による発光パターン（ドファラのときは、「緑」、シレソのときは「青」等）も記憶される。
【００３９】
制御手段１０は、操作手段２の操作により音感訓練プログラム１１ａの実行が選択されると、記憶手段１１より音感訓練プログラム１１ａを読み出して実行させ、音入力がされると、音検出手段７によって音情報を検出し、これを基にテーブル１１ｄを所定の手順で読み出して、音情報に対応する香り要素の香りを香り発生部４より出力するとともに、これに対応する発光パターンの光を出力する。
このように第３の刺激として視覚刺激、体性感覚等を刺激する出力手段を備えたものとすれば、複数の感覚刺激を受けることにより、一層効果的に音感訓練をすることができる。
【００４０】
尚、音感訓練装置の香り発生部４の香り要素の態様は上記の例に限定されるものではないことは言うまでもない。また音感訓練プログラム１１ａとして同じ符号を付しているが、夫々の実施形態に応じてプログラムされるものであることも言うまでもない。更に夫々の実施形態では和音の例として３音和音を示しているがこれに限定されるものでない点も言うまでもない。
そして、この音感訓練方法及び音感訓練装置は、音感を会得するための学習のために用いられる他、脳の衰えを防ぎ活性化させるためのリハビリ等に用いることも可能である。
【図面の簡単な説明】
【００４１】
【図１】本発明の音感訓練装置（第１の実施形態）の要部構成を示すブロック図である。
【図２】本発明の音感訓練装置の基本動作を示すフローチャートである。
【図３】本発明の音感訓練装置におけるテーブルの構成の一例である。
【図４】本発明の音の属性と香り要素の対応関係を示した図である。
【図５】本発明の音感訓練装置の別の実施形態（第２の実施形態）の要部構成を示すブロック図である。
【図６】別の実施形態の基本動作を示すフローチャートである。
【図７】別の実施形態におけるテーブルの構成の一例である。
【図８】更に別の実施形態（第３の実施形態）の要部構成を示すブロック図である。
【図９】第３の実施形態の基本動作を示すフローチャートである。
【図１０】第３の実施形態におけるテーブルの構成の一例を示す図である。
【図１１】第３の実施形態の音の属性と香り要素の対応関係を示した図である。
【符号の説明】
【００４２】
Ａ、Ｂ、Ｃ      音感訓練装置
１      ＭＰＵ
１０    制御手段
３      音源部
４      香り発生部
５      信号入力手段
６      音入力手段
７      音検出手段
１１ａ      音感訓練プログラム
１１ｂ、１１ｃ、１１ｄ      テーブル
【図１】
2008040218.tif 000003
【図２】
2008040218.tif 000004
【図３】
2008040218.tif 000005
【図４】
2008040218.tif 000006
【図５】
2008040218.tif 000007
【図６】
2008040218.tif 000008
【図７】
2008040218.tif 000009
【図８】
2008040218.tif 000010
【図９】
2008040218.tif 000011
【図１０】
2008040218.tif 000012
【図１１】
2008040218.tif 000013